(57)【要約】【課題】空調用ダクトそれ自体を直接的に差し込んだり抜き取ったりするといった動作を要することなく、空気温調装置に対し空調用ダクトを容易に着脱することのできる空調用ダクト接続具を提供すること。【解決手段】空気温調装置３と空調用ダクト４とを接続する空調用ダクト接続具１０であって、空気温調装置３の温調空気吹出し口３ａに接続される第１のダクト継手部材１１と、空調用ダクト４の空気流れ上流側端部４ａに接続される第２のダクト継手部材１２と、これら第１のダクト継手部材１１及び第２のダクト継手部材１２の衝合フランジ部２２，３１同士を衝合させた状態を保持するようにそれら継手部材１１，１２を掛け止める掛止金具１３とを備える。【選択図】図２
2008281308.tif 000002
【特許請求の範囲】
【請求項１】
空気温調装置と空調用ダクトとを接続する空調用ダクト接続具であって、空気温調装置の温調空気吹出し口に接続される第１のダクト継手部材と、空調用ダクトの空気流れ上流側端部に接続される第２のダクト継手部材と、これら第１のダクト継手部材及び第２のダクト継手部材を互いに衝合させた状態を保持するようにそれら継手部材を掛け止める掛止手段とを備えたことを特徴とする空調用ダクト接続具。
【請求項２】
第１のダクト継手部材及び第２のダクト継手部材を互いに衝合させる際に両継手部材の位置決めをするための位置決め手段を設けたことを特徴とする請求項１記載の空調用ダクト接続具。
【発明の詳細な説明】
【技術分野】
【０００１】
本発明は、空気温調装置と空調用ダクトとを接続する空調用ダクト接続具に関し、特に、移動式又は折畳み式のクリーンブースに繋がる空調用ダクトと空気温調装置とを接続するのに用いられて好適な空調用ダクト接続具に関するものである。
【背景技術】
【０００２】
例えば、図６（ａ）に示すような精密温調システム１０１が実用に供されている。
この精密温調システム１０１は、既設建屋内の局所空間に清浄空間を創出するクリーンブース１０２と、このクリーンブース１０２に並設される空気温調装置１０３とを備え、空気温調装置１０３からの温調空気をクリーンブース１０２内に導入してクリーンブース１０２内の雰囲気温度を精密に調整することができるように構成されている。
この精密温調システム１０１によれば、クリーンブース１０２内に配置される装置１０５が例えば精密機械加工機である場合、温度変化に伴う加工精度不良を排除することができ、精密機械加工機による高精度加工を実現することができる。
【０００３】
この精密温調システム１０１においては、空気温調装置１０３により精密に温度調整された温調空気をクリーンブース１０２内に導入するために、クリーンブース１０２と空気温調装置１０３とが可撓性の空調用ダクト１０４によって繋がれている。
また、空気温調装置１０３と空調用ダクト１０４とは、空調用ダクト接続具１１０を介して接続されている。
この空調用ダクト接続具１１０は、図６（ｂ）に示すように、ダクト継手部材１１１と螺子式締付バンド１１２とが組み合わされてなり、ダクト継手部材１１１は、空気温調装置１０３の温調空気吹出し口１０３ａに接続される一方、螺子式締付バンド１１２は、ダクト継手部材１１１に外嵌されている空調用ダクト１０４の空気流れ上流側端部１０４ａを取り巻くように装着されている。
そして、螺子式締付バンド１１２の螺子締込操作により、空調用ダクト１０４の上流側端部１０４ａが緊縛され、ダクト継手部材１１１に空調用ダクト１０４の上流側端部１０４ａが緊密に固定されている。
【０００４】
ところで、建屋内の装置レイアウトの変更や装置の入替等の理由により、クリーンブース１０２内の装置１０５をしばしば移動させることがある。
クリーンブース１０２内の装置１０５を移動させるにあたっては、まず、空気温調装置１０３から空調用ダクト１０４を取り外し、その後、図６（ｃ）に示すように、クリーンブース１０２を折り畳む（あるいは移動させる）といった作業が行われる。
こうしてクリーンブース１０２が装置１０５から取り払われた後に、クレーンＣＲ等の運搬機械を用いて装置１０５が別の場所に移動される。
一方、装置１０５に対して精密温調システム１０１を構築する際には、上記の装置移動の際の作業とは逆の作業が行われる。
すなわち、まず、クレーンＣＲ等の運搬機械を用いて装置１０５を所定の場所に設置し、次いで折り畳み状態にあるクリーンブース１０２を展開して装置１０５を覆い、その後、空調用ダクト１０４を空気温調装置１０３に取り付けるといった作業が行われる。
【０００５】
このように、クリーンブース１０２内の装置１０５を移動させる際には空気温調装置１０３から空調用ダクト１０４を取り外すダクト取外作業が行われる一方、装置１０５に対して精密温調システム１０１を構築する際には空気温調装置１０３に空調用ダクト１０４を取り付けるダクト取付作業が行われる。
ダクト取外作業では、螺子式締付バンド１１２の螺子緩め操作により、螺子式締付バンド１１２による空調用ダクト１０４の空気流れ上流側端部１０４ａの緊縛状態を解除し、その後、空調用ダクト１０４をダクト継手部材１１１から抜き取るといった一連の動作が行われる。
一方、ダクト取付作業では、空調用ダクト１０４をダクト継手部材１１１に差し込み、その後、螺子式締付バンド１１２の螺子締込操作により空調用ダクト１０４の空気流れ上流側端部１０４ａを緊縛してダクト継手部材１１１に固定するといった一連の動作が行われる。
【０００６】
このため、この従来の空調用ダクト接続具１１０では、空調用ダクト１０４の着脱に際して、螺子式締付バンド１１２の螺子締込操作及び螺子緩め操作といった手数の要する作業が伴うとともに、ダクト継手部材１１１に対し空調用ダクト１０４それ自体を直接的に差し込んだり抜き取ったりするといった大きな労力を要する作業が伴うことになり、空調用ダクト１０４の着脱に非常に手間がかかり、作業性が悪いという問題があった。
また、ダクト継手部材１１１に対し空調用ダクト１０４それ自体を直接的に差し込んだり抜き取ったりするといった動作によって空調用ダクト１０４の着脱が行われるため、空調用ダクト１０４の着脱作業が頻繁に行われると、空調用ダクト１０４が損傷する恐れがあるという問題もある。
【発明の開示】
【発明が解決しようとする課題】
【０００７】
本発明は、上記従来の空調用ダクト接続具の有する問題点に鑑み、空調用ダクトそれ自体を直接的に差し込んだり抜き取ったりするといった動作を要することなく、空気温調装置に対し空調用ダクトを容易に着脱することのできる空調用ダクト接続具を提供することを目的とする。
【課題を解決するための手段】
【０００８】
上記目的を達成するため、本発明の空調用ダクト接続具は、空気温調装置と空調用ダクトとを接続する空調用ダクト接続具であって、空気温調装置の温調空気吹出し口に接続される第１のダクト継手部材と、空調用ダクトの空気流れ上流側端部に接続される第２のダクト継手部材と、これら第１のダクト継手部材及び第２のダクト継手部材を互いに衝合させた状態を保持するようにそれら継手部材を掛け止める掛止手段とを備えたことを特徴とする。
【０００９】
この場合において、第１のダクト継手部材及び第２のダクト継手部材を互いに衝合させる際に両継手部材の位置決めをするための位置決め手段を設けるものとすることができる。
【発明の効果】
【００１０】
本発明の空調用ダクト接続具によれば、空気温調装置の温調空気吹出し口に接続される第１のダクト継手部材と、空調用ダクトの空気流れ上流側端部に接続される第２のダクト継手部材とを互いに衝合させ、掛止手段の掛止め操作により両継手部材を掛け止めることでその衝合状態が保持されるので、空調用ダクトそれ自体を直接的に差し込むといった動作を要することなく、空調用ダクトを空気温調装置に容易に取り付けることができる。
一方、掛止手段の掛止め解除操作により、第１のダクト継手部材と第２のダクト継手部材とが分離可能な状態とされるので、空調用ダクトそれ自体を直接的に抜き取るといった動作を要することなく、空調用ダクトを空気温調装置から容易に取り外すことができる。
このように、空調用ダクトの着脱が、第１のダクト継手部材と第２のダクト継手部材との接続・分離によって成されるようにされているので、空調用ダクトの着脱作業が頻繁に行われたとしても、空調用ダクトが損傷するようなことはない。
【００１１】
また、第１のダクト継手部材及び第２のダクト継手部材を互いに衝合させる際に両継手部材の位置決めをするための位置決め手段を設けるものとすることにより、両継手部材の掛止め位置を正確に合わせることができ、掛止手段の掛止め操作をよりスムーズに行うことができる。
【発明を実施するための最良の形態】
【００１２】
以下、本発明の空調用ダクト接続具の実施の形態を、図面に基づいて説明する。
【実施例１】
【００１３】
図１〜図５に、本発明の空調用ダクト接続具の一実施例を示す。
図１に示す精密温調システム１は、既設建屋内の局所空間に清浄空間を創出するクリーンブース２と、このクリーンブース２に並設される空気温調装置３とを備えている。
この精密温調システム１においては、空気温調装置３により精密に温度調整された温調空気が、クリーンブース２と空気温調装置３とを繋ぐ可撓性の空調用ダクト４を介してクリーンブース２内に導入され、クリーンブース２内の雰囲気温度を精密に調整することができるようになっている。
この精密温調システム１によれば、クリーンブース２内に配置される装置５が例えば精密機械加工機である場合、温度変化に伴う加工精度不良を排除することができ、精密機械加工機による高精度加工を実現することができる。
【００１４】
空気温調装置３と空調用ダクト４とは、空調用ダクト接続具１０を介して接続されている。
この空調用ダクト接続具１０は、図２に示すように、空気温調装置３の温調空気吹出し口３ａに接続される第１のダクト継手部材１１と、空調用ダクト４の空気流れ上流側端部４ａに接続される第２のダクト継手部材１２と、これら第１のダクト継手部材１１及び第２のダクト継手部材１２を互いに衝合させた状態を保持するようにそれら継手部材１１，１２を掛け止める所要個数（本例では３個）の掛止金具１３（本発明の「掛止手段」に相当する。）とを備えている。
【００１５】
第１のダクト継手部材１１は、図２に示すように、断面が円筒状の短管部２０と、この短管部２０の一端において外方に張り出すように一体形成され、温調空気吹出し口３ａの周縁部に係合する取付フランジ部２１と、該短管部２０の他端において外方に張り出すように一体形成され、後述する第２のダクト継手部材１２における衝合フランジ部３１に付け合わされる衝合フランジ部２２とより構成されている。
【００１６】
第１のダクト継手部材１１における取付フランジ部２１には、複数のビス挿通孔（図示省略）が周方向に等間隔で設けられている。
同取付フランジ部２１において、温調空気吹出し口３ａの周縁部に係合される係合面には、全周に亘ってパッキン（ネオプレンスポンジ製）２３が貼着されている。
こうして、ビス挿通孔を通してビス（図示省略）により取付フランジ部２１が温調空気吹出し口３ａの周縁部に締着されたときに、パッキン２３にて第１のダクト継手部材１１と空気温調装置３との気密性が確保されるようになっている。
【００１７】
第１のダクト継手部材１１における衝合フランジ部２２には、掛止金具１３を受け入れ得る程度の大きさの切欠き２４が周方向に等間隔で複数箇所（本例では３箇所）設けられている。
各切欠き２４に対応するように短管部２０の外周面には、掛止金具１３におけるベース板４１（後述する）を取り付けるためのベース板取付部材２５が固着されている。
この衝合フランジ部２２において、後述する第２のダクト継手部材１２における衝合フランジ部３１に付け合わされる衝合面２２ｂには、複数（本例では４個）の位置決め用突起２６が周方向に等間隔で、かつ各切欠き２４とは所定角度だけ位相をずらせるようにして突設されている。
【００１８】
第２のダクト継手部材１２は、図２に示すように、断面が円筒状の短管部３０と、この短管部３０の一端において外方に張り出すように一体形成され、第１のダクト継手部材１１における衝合フランジ部２２に付け合わされる衝合フランジ部３１とより構成されている。
【００１９】
第２のダクト継手部材１２における短管部３０には、空調用ダクト４の空気流れ上流側端部４ａが外嵌され、この空気流れ上流側端部４ａを取り巻くように螺子式締付バンド３２が装着されている。
そして、螺子式締付バンド３２の螺子締込操作により、空調用ダクト４の上流側端部４ａが緊縛され、第２のダクト継手部材１２における短管部３０に空調用ダクト４の上流側端部４ａが緊密に固定されている。
【００２０】
第２のダクト継手部材１２における衝合フランジ部３１には、図４（ａ）（ｂ）に示すように、掛止金具１３を受け入れ得る程度の大きさの切欠き３３が周方向に等間隔で複数箇所（本例では３箇所）設けられている。
各切欠き３３に対応するように短管部３０の外周面には、掛止金具１３における受金４９（後述する）を取り付けるための受金取付部材３４が固着されている。
この衝合フランジ部３１において、第１のダクト継手部材１１における衝合フランジ部２２に付け合わされる衝合面３１ｂには、各切欠き３３を設けた箇所を除いてその全面にパッキン（ネオプレンゴム製）３５が貼着されている。
こうして、第１のダクト継手部材１１における衝合フランジ部２２と第２のダクト継手部材１２における衝合フランジ部３１とが互いに衝合されたときに、パッキン３５にて両継手部材１１，１２間の気密性が確保されるようになっている。
【００２１】
さらに、第２のダクト継手部材１２における衝合フランジ部３１には、図４（ａ）に示すように、図３（ａ）に示される位置決め用突起２６と係合する位置決め用孔３６が周方向に等間隔で、かつ各切欠き３３とは所定角度だけ位相をずらせるようにして穿設されている。
そして、位置決め用突起２６と位置決め用孔３６とを合わせるようにして、第１のダクト継手部材１１における衝合フランジ部２２と、第２のダクト継手部材１２における衝合フランジ部３１とを互いに衝合させたときに、第１のダクト継手部材１１における各切欠き２４の位置と、第２のダクト継手部材１２における各切欠き３３の位置とが合致するようにされている。
こうして、位置決め用突起２６と位置決め用孔３６とよりなる位置決め手段により、第１のダクト継手部材１１の衝合フランジ部２２と、第２のダクト継手部材１２の衝合フランジ部３１とを互いに衝合させる際に、両継手部材１１，１２の位置決めを容易に行うことができる。
【００２２】
各掛止金具１３は、図５（ａ）に示すように、第１のダクト継手部材１１に設けられた各ベース板取付部材２５にリベット止めにて固着されるベース板４１と、ベース板４１の一方端部に形成された第１軸受板部４２に第１枢軸４３によって基端部が連結される操作レバー４４と、操作レバー４４の中間部に第２枢軸４５によって基端部が連結される掛金アーム４６と、掛金アーム４６を構成する第１掛金アーム部４６ａ及び第２掛金アーム部４６ｂが重なり合った部分に外嵌され、掛金アーム４６の先端掛け部４７を第２枢軸４５に近づける方向に移動付勢する圧縮コイルばね４８と、第２のダクト継手部材１２に設けられた各受金取付部材３４にリベット止めにて固着され、掛金アーム４６の先端掛け部４７に係合可能な受金４９とを備えて構成されている。
【００２３】
各掛止金具１３においては、掛金アーム４６の先端掛け部４７が受金４９に係合した掛止め施錠状態にあるときに、第２枢軸４５が、図５（ｂ）に示すように、先端掛け部４７と第１枢軸４３とを通る基準直線Ｌよりもベース板４１の側に来るように第１枢軸４３と第２枢軸４５が配置されている。
これにより、操作レバー４４が圧縮コイルばね４８によって第１枢軸４３を中心として図５（ｂ）において時計回り方向に回転付勢され、操作レバー４４が倒伏状態に保持される。
【００２４】
以上に述べたように構成される空調用ダクト接続具１０において、図５（ｂ）に示すような掛止金具１３による掛止め施錠状態を解除して第１のダクト継手部材１１に対し第２のダクト継手部材１２を分離可能な状態にするには、圧縮コイルばね４８による上述の回転付勢力に抗して操作レバー４４を第１枢軸４３を中心に引き上げ回動する。
操作レバー４４の引き上げ回動操作にて操作レバー４４がベース板４１に対し一定角度以上引き上げ回動されると、掛金アーム４６が受金４９から離れるように傾斜回動され、図５（ｃ）に示すように、掛金アーム４６の先端掛け部４７が受金４９から完全に離脱する。
こうして、掛止金具１３による掛止め施錠状態が解除され、第１のダクト継手部材１１に対し第２のダクト継手部材１２が分離可能な状態となる。
【００２５】
これとは逆に、掛止金具１３による掛止め施錠により、第１のダクト継手部材１１と第２のダクト継手部材１２とを接続状態にするには、位置決め用突起２６と位置決め用孔３６とを合わせるようにして、衝合フランジ部２２と衝合フランジ部３１とを互いに衝合させて図５（ｃ）に示されるような状態とし、その後、掛金アーム４６の先端掛け部４７を受金４９に引っ掛けると共に操作レバー４４を第１枢軸４３を中心に押し下げ回動する。
操作レバー４４の押し下げ回動操作にて第２枢軸４５が基準直線Ｌよりもベース板４１側に来て図５（ｂ）に示されるような状態となったときに、先端掛け部４７が受金４９に完全に掛止・固定される。
これにより、掛止金具１３による掛止め施錠状態となり、衝合フランジ部２２と衝合フランジ部３１との衝合状態が掛止金具１３によって保持され、第１のダクト継手部材１１と第２のダクト継手部材１２とが接続状態となる。
【００２６】
本実施例の空調用ダクト接続具１０によれば、空気温調装置３の温調空気吹出し口３ａに接続される第１のダクト継手部材１１の衝合フランジ部２２と、空調用ダクト４の空気流れ上流側端部４ａに接続される第２のダクト継手部材１２の衝合フランジ部３１とを互いに衝合させ、掛止金具１３の掛止め施錠操作により両継手部材１１，１２を掛け止めることでその衝合状態が保持されるので、空調用ダクト４それ自体を直接的に差し込むといった動作を要することなく、空調用ダクト４を空気温調装置３に容易に取り付けることができる。
一方、掛止金具１３の掛止め施錠解除操作により、第１のダクト継手部材１１と第２のダクト継手部材１２とが分離可能な状態とされるので、空調用ダクト４それ自体を直接的に抜き取るといった動作を要することなく、空調用ダクト４を空気温調装置３から容易に取り外すことができる。
このように、空調用ダクト４の着脱が、第１のダクト継手部材１１と第２のダクト継手部材１２との接続・分離によって成されるようにされているので、空調用ダクト４の着脱作業が頻繁に行われたとしても、空調用ダクト４が損傷するようなことはない。
また、第１のダクト継手部材１１及び第２のダクト継手部材１２の衝合フランジ部２２，３１同士を衝合させる際に両継手部材１１，１２の位置決めをするための位置決め用突起２６及び位置決め用孔３６が設けられているので、両継手部材１１，１２の掛止め位置を正確に合わせることができ、掛止金具１３の掛止め施錠操作をよりスムーズに行うことができる。
【００２７】
以上、本発明の空調用ダクト接続具について、実施例に基づいて説明したが、本発明は上記実施例に記載した構成に限定されるものではなく、その趣旨を逸脱しない範囲において適宜その構成を変更することができるものである。
【産業上の利用可能性】
【００２８】
本発明の空調用ダクト接続具は、空調用ダクトそれ自体を直接的に差し込んだり抜き取ったりするといった動作を要することなく、空気温調装置に対し空調用ダクトを容易に着脱することができるという特性を有していることから、移動式又は折畳み式の温調用クリーンブースやその他各種の恒温室（恒温用ブースを含む）に繋がる空調用ダクトと空気温調装置とを接続する用途に好適に用いることができる。
【図面の簡単な説明】
【００２９】
【図１】本発明の空調用ダクト接続具を備える精密温調システムの正面図である。
【図２】図１のＡ部拡大図である。
【図３】第１のダクト継手部材を示し、（ａ）はその平面図、（ｂ）はその正面図である。
【図４】第２のダクト継手部材を示し、（ａ）はその平面図、（ｂ）はその正面図である。
【図５】掛止金具を示し、（ａ）は図２のＢ部拡大図、（ｂ）は（ａ）のＣ−Ｃ線断面図、（ｃ）は掛止め施錠解除状態を示す図である。
【図６】従来技術の説明図で、（ａ）は従来の空調用ダクト接続具を備える精密温調システムの正面図、（ｂ）は（ａ）のＰ部拡大図、（ｃ）は空調用ダクトが空気温調装置から取り外されてクリーンブースが折り畳まれている状態を示す図である。
【符号の説明】
【００３０】
１    精密温調システム
２    クリーンブース
３    空気温調装置
３ａ  温調空気吹出し口
４    空調用ダクト
４ａ  空気流れ上流側端部（空調用ダクト）
１０  空調用ダクト接続具
１１  第１のダクト継手部材
１２  第２のダクト継手部材
１３  掛止金具（掛止手段）
２６  位置決め用突起（位置決め手段）
３６  位置決め用孔（位置決め手段）
【図１】
2008281308.tif 000003
【図２】
2008281308.tif 000004
【図３】
2008281308.tif 000005
【図４】
2008281308.tif 000006
【図５】
2008281308.tif 000007
【図６】
2008281308.tif 000008